【事件の表示】
　特願２０１３−　１２３０２「床用目地装置」拒絶査定不服審判事件〔平成２６年　８月　７日出願公開、特開２０１４−１４１８５８〕について、次のとおり審決する。
【結　論】
　本件審判の請求は、成り立たない。
【理　由】
第１　手続の経緯
　本願は、平成２５年１月２５日の出願であって、平成２７年７月８日付けで通知した拒絶理由に対して、平成２７年８月２０日付けで手続補正書及び意見書が提出されたが、平成２８年３月４日付けで拒絶査定（謄本送達日：平成２８年３月１５日）がなされ、それに対して、平成２８年５月１３日に拒絶査定不服審判が請求されたものである。
第２　本願発明
　本願の請求項１ないし２に係る発明は、平成２７年８月２０日付け手続補正書により補正された特許請求の範囲の請求項１ないし２に記載された事項により特定されるものと認められるところ、その請求項１に係る発明は次のとおりのものである（以下「本願発明」という。）。
「【請求項１】
目地部を介して設けられた左右の床躯体の、一方の目地部側床躯体に反目地部側が傾斜面に形成された床用目地プレートスライド支持凹部と、この床用目地プレートスライド支持凹部に先端部が支持され、後端部が他方の目地部側床躯体に、先端部が前記傾斜面に沿って上方へ回動でき、かつ上面が前記左右の床躯体の床面と同一面となるように取付けられた床用目地プレートと、この床用目地プレートの先端部に回動可能に取付けられたカバープレートとからなる床用目地装置において、前記床用目地プレートの先端部を除く底面に、該床用目地プレートの先端部が傾斜面より一方の床躯体の床面方向へスライド移動しても、床用目地プレートの先端部のみが一方の床躯体の床面に接した状態を保つ凹部を形成したことを特徴とする床用目地装置。」
第３　引用刊行物について
１　刊行物１について
（１）刊行物１の記載事項
　原査定の拒絶の理由で引用された、本願の出願前に頒布された刊行物である特開２００４−９２０１９号公報（平成１６年３月２５日出願公開。以下「刊行物１」という。）には、次の事項が記載されている（下線は審決で付した。以下同じ。）。
ア　「【特許請求の範囲】
【請求項１】
隣接する建造物の床間の目地に差し渡されて該目地を覆う
カバー体
前記スライダーを支持するレール部材の受縁部を、一方の建造物側に向けて下方傾斜する傾斜受縁部としたことを特徴とする
床用目地カバー装置
イ　「【０００１】
【発明の属する技術分野】
本発明は、隣接する建造物の床間の目地を覆う
床用目地カバー装置
ウ　「【０００４】
【発明が解決しようとする課題】
ところで、上記床用目地カバー装置にあっては、レール部材ｂを構成する受縁部ｃが水平であるため、施工時にカバー体Ｃの一端を床ｆ１　の側縁に密着させておいても、カバー体Ｃ上を人や自動車が通行する時に生ずる振動によって、カバー体Ｃが次第にずれて、図９に示すように、床ｆ１　の側縁との間に隙間ｄができてしまう。このため、見た目が悪く、また、該隙間ｄに砂やゴミ等の異物が入り込む虞があった。
【０００５】
本発明は、かかる従来の問題点を解消し得る床用目地カバー装置を提供することを目的とするものである。」
エ　「【００１０】
【発明の実施の形態】
以下に、本発明の一実施例を、図１〜図８に基づいて説明する。
図面において、
Ａは
免震構造の建造物
Ｂは
人工地盤からなる建造物
目地ｓを介して隣接している
【００１１】
前記建造物Ｂの床ｆ２　の側縁に
目地ｓの幅方向
に比較的長い水平受縁１ａ
該水平受縁１ａの外端から床ｆ２　の上面に向けて上方傾斜する傾斜受縁１ｂ
を備えた摺動受枠体１
【００１２】
建造物Ａの床ｆ１　と建造物Ｂの床ｆ２　の間には、カバー体Ｃが差し渡され、目地ｓを覆っている。該カバー体Ｃは、図２に示すように、目地ｓに沿う方向に複数個が連続状に配設されるものであって、各
カバー体Ｃは、
その一端の下部が建造物Ａの床ｆ１　の側縁に、
保持手段５を介して少なくとも目地ｓの幅方向に移動不能に保持され、他端を自由端としており、該自由端が前記摺動受枠体１の水平受縁１ａ上に摺動可能に乗載されている
【００１３】
カバー体Ｃの自由端は、その端縁３と前記摺動受枠体１の傾斜受縁１ｂとの間に適宜幅の空隙が生じるようにして水平受縁１ａ上に乗載されており、この空隙を作動空隙２としている。また、カバー体Ｃの自由端が乗載される摺動受枠体１の水平受縁１ａ上には、上面にテフロンコーティング等の滑性面を形成した薄板状のパッキン１５が被着されており、該パッキン１５の滑性面によって、カバー体Ｃの自由端の摺動が容易となるようにしている。
【００１４】
カバー体Ｃの自由端に
端部カバー板４がヒンジ６で上下方向に回動可能に枢結されており
該端部カバー板４の外端が、カバー体Ｃの上面８と略面一となるようにして建造物Ｂの床ｆ２　の上面に摺動可能に乗載されている
【００１５】
前記カバー体Ｃは、矩形状の周枠と底板とによって浅底容器状に形成されており、その内底部に複数のメインバー１２ａとクロスバー１２ｂとを格子状に組み付けてなる剛性基枠部１３が配設されている。該剛性基枠部１３はグレーチングとして一般に用いられるものと同一構造であり、この剛性基枠部１３によって、カバー体Ｃ上にかかる荷重に耐え得る所定の強度を得るようにしている。また、該剛性基枠部１３の上部には、モルタルｍ及びタイルｔ等からなる床仕上材１０が充填されている。」
オ　「【００１９】
前記レール部材１７は、図５等に示すように、断面Ｌ形のフランジ２１と溶接等の固着手段を介して一体化されている。ここで、フランジ２１の前端上面と、レール部材１７の傾斜受縁部１７ａの前端縁下面との間には、所定の厚みを有するフラットバーからなるスペーサ杆２２が介装されており、これによって傾斜受縁部１７ａの傾斜角度を保持するようにしている。そして、該フランジ２１を建造物Ａの側縁に植設されたアンカーボルト２３にナット２４で固定することにより、該フランジ２１と一体化されたレール部材１７を建造物Ａの床ｆ１　の側縁に取り付けるようにしている。また、該レール部材１７は、スライダー１６を支持した状態において、
カバー体Ｃの上面８が建造物Ａの床ｆ１　の上面と略面一となる
カ　「【００２１】
一方、
地震時に
建造物Ａと
建造物Ｂとが近接する方向に
大きく相対変位すると
カバー体Ｃは、
カバー体Ｃの建造物Ａ側の一端を支点として傾動して、自由端の端縁３が、摺動受枠体１の傾斜受縁１ｂに沿ってずれ上がる
キ　「【図面の簡単な説明】
【図１】本発明にかかる床用目地カバー装置の施工状態を示す縦断側面図である。
・・・（略）・・・
【図７】建造物Ａと建造物Ｂとが近接する方向に相対変位した状態におけるカバー体Ｃ及び端部カバー板４の作用を示す説明図である。
・・・（略）・・・」
ク　図１は床用目地カバー装置の施工状態を示す縦断側面図であって（上記キを参照。）、図１からは、
カバー体Ｃの上面８が建造物Ｂの床ｆ２の上面と略面一である
ケ　図７は建造物Ａと建造物Ｂとが近接する方向に相対変位した状態におけるカバー体Ｃ及び端部カバー板４の作用を示す説明図であって（上記キを参照。）、図７からは、
カバー体Ｃの底面が傾斜受縁１ｂの上端と接するとともに、カバー体Ｃの端縁３が建造物Ｂの床ｆ２の上方に位置する
（２）刊行物１に記載された発明の認定
　上記（１）ケの「カバー体Ｃの底面が傾斜受縁１ｂの上端と接しており、カバー体Ｃの端縁３が建造物Ｂの床ｆ２の領域に位置する」状態は、上記（１）カの「カバー体Ｃは、カバー体Ｃの建造物Ａ側の一端を支点として傾動して、自由端の端縁３が、摺動受枠体１の傾斜受縁１ｂに沿ってずれ上がる」
動作を経た後の状態
　そうすると、上記（１）の事項からみて、刊行物１には、
「免震構造の建造物Ａと目地ｓを介して隣接している人工地盤からなる建造物Ｂの、前記建造物Ｂの床ｆ２の側縁に、目地ｓの幅方向に比較的長い水平受縁１ａの外端から床ｆ２の上面に向けて上方傾斜する傾斜受縁１ｂを備えた摺動受枠体１と、
　その一端の下部が建造物Ａの床ｆ１の側縁に、保持手段５を介して少なくとも目地ｓの幅方向に移動不能に保持され、他端を自由端としており、該自由端が前記摺動受枠体１の水平受縁１ａ上に摺動可能に乗載されていて、カバー体Ｃの上面８が建造物Ａの床ｆ１の上面と略面一となり、カバー体Ｃの上面８が建造物Ｂの床ｆ２の上面と略面一であるカバー体Ｃと、
　このカバー体Ｃの自由端にヒンジ６で上下方向に回動可能に枢結されている端部カバー板４とからなる床用目地カバー装置において、
　カバー体Ｃは、カバー体Ｃの建造物Ａ側の一端を支点として傾動して、自由端の端縁３が、摺動受枠体１の傾斜受縁１ｂに沿ってずれ上がる動作を経た後に、カバー体Ｃの底面が傾斜受縁１ｂの上端と接するとともに、カバー体Ｃの端縁３が建造物Ｂの床ｆ２の上方に位置する状態になる床用目地カバー装置。」の発明（以下「刊行物１発明」という。）が記載されていると認められる。
２　刊行物２について
（１）刊行物２の記載事項
　原査定の拒絶の理由で引用された、本願の出願前に頒布された刊行物である特開２０１２−１２８４７号公報（平成２４年１月１９日出願公開。以下「刊行物２」という。）には、次の事項が記載されている。
ア　「【特許請求の範囲】
【請求項１】
外壁面に外方へ突出させるドアが設けられた一方の建物のドアの下部位置の躯体に形成された目地プレート支持凹部と、この目地プレート支持凹部と対向する部位に目地部を介して設けられた他方の建物の外側通路に、該目地プレート支持凹部と対応する前記目地部の間隔寸法の約２倍の寸法となるように形成された目地プレートスライド支持凹部と、この目地プレートスライド支持凹部の前記目地部側のほぼ半分を覆い、後端部が前記目地プレート支持凹部に支持される先端下部が突出する傾斜面に形成された目地プレートと、この目地プレートの後端部を前記目地プレート支持凹部に固定、あるいは支持させる目地プレート取付手段と、前記目地プレートで覆われていない前記目地プレートスライド支持凹部を覆うとともに、
地震で目地部が狭くなると、先端部が前記目地プレート上へ乗り上げる回動目地プレート
【請求項２】
回動目地プレートの底面は先端部が上方へ大きく突出するのを阻止できるように円弧状の凹部となるように形成される
床用目地装置
イ　「【技術分野】
【０００１】
　本発明は目地部側に外方へ突出するドアを設けた左右の建物の床部分を接続する
床用目地装置
ウ　「【背景技術】
【０００２】
　従来、この種の床用目地装置は左右の建物の一方の建物の目地部側の床躯体の床面に反目地部側が傾斜面に形成された目地プレートスライド支持凹部と、この目地プレートスライド支持凹部と対応する部位の他方の建物の外壁あるいは床躯体に設けられた目地プレート支持凹部と、この目地プレート支持凹部に後端部が支持され、先端部が前記目地プレートスライド支持凹部をスライド移動可能に覆うように支持された目地プレートとで構成されている。
【０００３】
　このため、地震で目地部が狭くなるように左右の建物が揺れ動いた場合、目地プレートの先端部は目地プレートスライド支持凹部の傾斜面に沿って、傾斜面の上端部に乗り上がった傾斜面状態となり、危険な状態になるとともに、目地プレートに沿って他方の建物の外開き用の開閉扉があると、該開閉扉の開閉が不可能になったり、損傷してしまうという欠点があった。」
エ　「【発明が解決しようとする課題】
【０００５】
　本発明は以上のような従来の欠点に鑑み、目地部が狭くなるように左右の建物が地震で揺れ動いても、外方へ突出するドアが設けられた一方の建物側の目地プレートがほぼ水平状態で移動して、ドアの開閉が不能になったりするのを確実に阻止するとともに、目地プレート上を従来と比べて安全に走行することができる床用目地装置を提供することを目的としている。」
オ　「【発明の効果】
【０００９】
　以上の説明から明らかなように、本発明にあっては次に列挙する効果が得られる。
・・・（略）・・・
（５）請求項２も前記（１）〜（４）と同様な効果が得られるとともに、
地震で目地部が狭くなる
回動目地プレートの先端部が大きく上方へ突出するのを円弧状の凹部で阻止することができる
したがって、
より安全に使用することができる
カ　「【図面の簡単な説明】
【００１０】
【図１】本発明を実施するための第１の形態の平面図。
【図２】図１の２−２線に沿う断面図。
【図３】本発明を実施するための第１の形態の目地プレートの説明図。
【図４】本発明を実施するための第１の形態の回動目地プレートの説明図。
【図５】本発明を実施するための第１の形態の
目地部が狭くなった
【図６】本発明を実施するための第１の形態の目地部が広くなった動作説明図。
【図７】本発明を実施するための第２の形態の平面図。
【図８】図７の８−８線に沿う断面図。
【図９】本発明を実施するための第２の形態の回動目地プレートの説明図。
【図１０】本発明を実施するための第２の形態の
目地部が狭くなった
・・・（略）・・・」
キ　「【発明を実施するための形態】
【００１１】
　以下、図面に示す本発明を実施するための形態により、本発明を詳細に説明する。
【００１２】
　図１ないし図６に示す本発明を実施するための第１の形態において、１は外壁面２に外方へ突出させるドア３が設けられた一方の建物４と、目地部５を介して設けられた他方の建物６とを接続する本発明の床用目地装置で、この床用目地装置１は前記一方の建物４のドア３の下部位置の外壁躯体に形成された目地プレート支持凹部７と、この目地プレート支持凹部７と対向する部位の前記他方の建物６の外側通路８に、該目地プレート支持凹部７と対応する前記目地部５の間隔寸法Ｌの約２倍の寸法となるように形成された目地プレートスライド支持凹部９と、この目地プレートスライド支持凹部９の前記目地部５側のほぼ半分を覆い、後端部が前記目地プレート支持凹部７に支持される先端下部が突出する傾斜面１０に形成された目地プレート１１と、この目地プレート１１の後端部を前記目地プレート支持凹部７に固定状態で取付ける、ボルト１２、１２を用いた目地プレート取付手段１３と、前記目地プレート１１で覆われていない前記目地プレートスライド支持凹部９を覆うとともに、
地震で前記目地部５が狭くなると先端部が前記目地プレート１１へ乗り上げる回動目地プレート１４
【００１３】
　前記目地プレート１１は図３に示すように、浅皿状で先端下部が外方へ突出する傾斜面１０に形成された金属材製の目地プレート本体１６と、この目地プレート本体１６の後方両側部に固定された取付ボックス１７、１７と、この取付ボックス１７、１７の底面に形成された透孔１８、１８と、前記目地プレート本体１６内に充填されたモルタルあるいはコンクリート１９と、このモルタルあるいはコンクリート１９の上部に、必要に応じて設置されるタイルやレンガ等の床化粧体２０と、前記取付ボックス１７、１７の上面を覆う蓋体２１、２１とで構成されている。
【００１４】
　
前記回動目地プレート１４
ク　「【００１７】
　
地震で目地部５が狭くなる
【００１８】
　この時、目地プレート１１は先端部が他方の建物６の目地プレートスライド支持凹部９内をスライド移動するため、平行移動となり、一方の建物４のドア３の開閉のじゃまになる回動がないため、通常時と同様にドア３の開閉を行なうことができる。」
ケ　「【００２２】
　［発明を実施するための異なる形態］
　次に、図７ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
　図７ないし図１０に示す本発明を実施するための第２の形態において、前記本発明を実施するための第１の形態と主に異なる点は、
目地プレート１１上へ先端部が乗り上げる時に、先端部が上方へ突出するのを小さくおさえることができるように底面に円弧状の凹部３０を形成した回動目地プレート１４Ａ
地震で目地部５が狭くなっても回動目地プレート１４Ａの円弧状の凹部３０で先端部が大きく上方へ突出するのを防止でき、より安全に使用することができる
コ　刊行物２の第１の形態において、
図２及び４から、
回動目地プレート１４の底面が平板状である
サ　刊行物２の第１の形態において、
（ア）図５は、地震で目地部５が狭くなる場合を示す（上記カ及びクを参照。）。
（イ）図５から、
回動目地プレート１４の先端部が空中に浮いているとともに、回動目地プレート１４の底面が目地プレート１１の先端部（傾斜面１０の上端）に接した状態
シ　刊行物２の第２の形態において、
（ア）図１０は、地震で目地部５が狭くなる場合を示す（上記カ及びケを参照。）。
（イ）図１０から、
回動目地プレート１４Ａの先端部が目地プレート１１の上面に接するとともに、回動目地プレート１４Ａの底面が目地プレート１１の先端部（傾斜面１０の上端）にほぼ接した状態
ス　刊行物２の第２の形態の「回動目地プレート１４Ａ」について、
上記ケの「目地プレート１１上へ先端部が乗り上げる時に、」という事項は、図１０から、「
回動目地プレート１４Ａの先端部が傾斜面１０を越えて目地プレート１１上に乗り上げる時に、
（２）刊行物２に記載された技術の認定
ア　刊行物２の第１及び第２の形態を比較すると、地震で目地部５が狭くなる場合において、
　第１の形態（回動目地プレート１４の底面が平板状である）に比べ、第２の形態（回動目地プレート１４Ａの底面に「円弧状の凹部３０」が形成されている）は、その構造からみて、
回動目地プレート１４Ａの先端部が空中に浮きにくく、回動目地プレート１４Ａの底面が目地プレート１１の先端部（傾斜面１０の上端）に接触しにくい構造
イ　刊行物２の第２の形態において、上記（１）ケの「目地プレート１１上へ先端部が乗り上げる時に、先端部が上方へ突出するのを小さくおさえることができるように底面に円弧状の凹部３０を形成した回動目地プレート１４Ａ」という事項及び図１０から、回動目地プレート１４Ａの先端部が上方へ突出するのを最も小さくおさえるためには、その先端部が目地プレート１１の上面に接した状態にすることは、当業者が容易に理解できることである。
ウ　刊行物２の第２の形態において、図１０の状態に至るまでの途中経過を示す図が添付されていないが、上記（１）シ（イ）並びに（２）ア及びイの事項を踏まえると、
　
回動目地プレート１４Ａの先端部が目地プレート１１の上面に接するとともに、回動目地プレート１４Ａの底面が目地プレート１１の先端部（傾斜面１０の上端）に接していない状態
　すなわち、図１０に至るまでの途中では、「回動目地プレート１４Ａの先端部
のみ
　ここで、上記（１）スの「回動目地プレート１４Ａの先端部が傾斜面１０を越えて目地プレート１１上に乗り上げる時に、」という事項を付け加えると、「回動目地プレート１４Ａの先端部が傾斜面１０を越えて目地プレート１１上に乗り上げる時に、回動目地プレート１４Ａの先端部
のみ
エ　そうすると、上記（１）の事項及び（２）ウの事項からみて、刊行物２には、
「床用目地装置において、回動目地プレート１４Ａの底面に円弧状の凹部３０を形成することにより、回動目地プレート１４Ａの先端部が傾斜面１０を越えて目地プレート１１上に乗り上げる時に、回動目地プレート１４Ａの先端部
のみ
第４　対比
１　本願発明と刊行物１発明とを対比する。
　刊行物１発明の「目地ｓ」は、本願発明の「目地部」に相当する。刊行物１発明の「免震構造の建造物Ａと目地ｓを介して隣接している人工地盤からなる建造物Ｂ」は、本願発明の「目地部を介して設けられた左右の床躯体」に相当する。刊行物１発明の「人工地盤からなる建造物Ｂ」，「免震構造の建造物Ａ」は、それぞれ本願発明の「一方の目地部側床躯体」及び「一方の床躯体」，「他方の目地部側床躯体」に相当する。
２　刊行物１発明の「摺動受枠体１」について
　刊行物１発明の「前記建造物Ｂの床ｆ２の側縁に、」は、本願発明の「一方の目地部側床躯体に」に相当し、同様に、「目地ｓの幅方向に比較的長い水平受縁１ａの外端から床ｆ２の上面に向けて」は「反目地部側が」に、「上方傾斜する傾斜受縁１ｂ」及び「を備えた」は「傾斜面」及び「に形成された」にそれぞれ相当するから、刊行物１発明の「摺動受枠体１」は本願発明の「床用目地プレートスライド支持凹部」に相当する。
３　刊行物１発明の「カバー体Ｃ」について
（１）刊行物１発明の「他端」及び「自由端」，「その一端」は、それぞれ本願発明の「先端部」，「後端部」に相当する。
（２）刊行物１発明の「他端を自由端としており、該自由端が前記摺動受枠体１の水平受縁１ａ上に摺動可能に乗載されていて」は、本願発明の「この床用目地プレートスライド支持凹部に先端部が支持され」に相当し、同様に、「その一端の下部が建造物Ａの床ｆ１の側縁に、」は「後端部が他方の目地部側床躯体に」に、「カバー体Ｃの建造物Ａ側の一端を支点として傾動して、自由端の端縁３が、摺動受枠体１の傾斜受縁１ｂに沿ってずれ上がる」は「先端部が前記傾斜面に沿って上方へ回動でき」に、「カバー体Ｃの上面８が建造物Ａの床ｆ１の上面と略面一となり、カバー体Ｃの上面８が建造物Ｂの床ｆ２の上面と略面一である」は「上面が前記左右の床躯体の床面と同一面となる」にそれぞれ相当する。
（３）したがって、刊行物１発明の「カバー体Ｃ」は、本願発明の「床用目地プレート」に相当する。
４　刊行物１発明の「このカバー体Ｃの自由端にヒンジ６で上下方向に回動可能に枢結されている端部カバー板４」は、本願発明の「この床用目地プレートの先端部に回動可能に取付けられたカバープレート」に相当する。
５　刊行物１発明の「床用目地カバー装置」は、本願発明の「床用目地装置」に相当する。
６　刊行物１発明の「カバー体Ｃは、カバー体Ｃの建造物Ａ側の一端を支点として傾動して、自由端の端縁３が、摺動受枠体１の傾斜受縁１ｂに沿ってずれ上がる動作を経た後に、カバー体Ｃの底面が傾斜受縁１ｂの上端と接するとともに、カバー体Ｃの端縁３が建造物Ｂの床ｆ２の上方に位置する状態になる」という事項について
　当該事項から、カバー体Ｃ（本願発明の「床用目地プレート」に相当）の自由端（本願発明の「先端部」に相当）が、傾斜受縁１ｂ（本願発明の「傾斜面」に相当）に沿ってずれ上がった後に、建造物Ｂ（本願発明の「一方の床躯体」に相当）の床ｆ２の方向に移動することが理解できるから、当該事項は本願発明の「該床用目地プレートの先端部が傾斜面より一方の床躯体の床面方向へスライド移動」することに相当する。
７　したがって、本願発明と刊行物１発明とは、
「目地部を介して設けられた左右の床躯体の、一方の目地部側床躯体に反目地部側が傾斜面に形成された床用目地プレートスライド支持凹部と、この床用目地プレートスライド支持凹部に先端部が支持され、後端部が他方の目地部側床躯体に、先端部が前記傾斜面に沿って上方へ回動でき、かつ上面が前記左右の床躯体の床面と同一面となるように取付けられた床用目地プレートと、この床用目地プレートの先端部に回動可能に取付けられたカバープレートとからなる床用目地装置において、
　該床用目地プレートの先端部が傾斜面より一方の床躯体の床面方向へスライド移動する、床用目地装置。」の点で一致し、以下の点で相違する。
［相違点］
　床用目地プレートの底面の構造について、
本願発明は「前記床用目地プレートの先端部を除く底面に、該床用目地プレートの先端部が傾斜面より一方の床躯体の床面方向へスライド移動しても、床用目地プレートの先端部のみが一方の床躯体の床面に接した状態を保つ凹部を形成した」のに対し、刊行物１発明はそのような凹部を形成していない点。
第５　相違点に係る判断
１　刊行物２技術について
（１）上記第３の２（２）エで述べたように、刊行物２技術は、「床用目地装置において、回動目地プレート１４Ａの底面に円弧状の凹部３０を形成することにより、回動目地プレート１４Ａの先端部が傾斜面１０を越えて目地プレート１１上に乗り上げる時に、回動目地プレート１４Ａの先端部
のみ
（２）刊行物２技術の目的（課題）について、刊行物２には、「地震で目地部が狭くなるように左右の建物が揺れ動いた場合、目地プレートの先端部は目地プレートスライド支持凹部の傾斜面に沿って、傾斜面の上端部に乗り上がった傾斜面状態となり、危険な状態になるとともに、目地プレートに沿って他方の建物の外開き用の開閉扉があると、該開閉扉の開閉が不可能になったり、損傷してしまうという欠点があった。」（段落【０００３】）、「本発明は以上のような従来の欠点に鑑み、目地部が狭くなるように左右の建物が地震で揺れ動いても、外方へ突出するドアが設けられた一方の建物側の目地プレートがほぼ水平状態で移動して、ドアの開閉が不能になったりするのを確実に阻止するとともに、目地プレート上を従来と比べて安全に走行することができる床用目地装置を提供することを目的としている。」（段落【０００５】）、「回動目地プレートの先端部が大きく上方へ突出するのを円弧状の凹部で阻止することができる。したがって、より安全に使用することができる。」（段落【０００９】）、「回動目地プレート１４Ａの円弧状の凹部３０で先端部が大きく上方へ突出するのを防止でき、より安全に使用することができる。」（段落【００２２】）と記載されている。
（３）刊行物２技術の「回動目地プレート１４Ａ」は、本願発明の「床用目地プレート」に相当する。
　刊行物２技術の「回動目地プレート１４Ａの先端部が傾斜面１０を越えて目地プレート１１上に乗り上げる時に」について、「傾斜面１０を越えて」及び「上に乗り上げる時に」は、それぞれ本願発明の「傾斜面１０より」及び「上面方向にスライド移動しても」に相当する。
　してみると、刊行物２技術は、次の技術に相当するといえる。
「床用目地装置において、床用目地プレートの底面に円弧状の凹部を形成することにより、床用目地プレートの先端部が傾斜面より目地プレートの上面方向にスライド移動しても、床用目地プレートの先端部
のみ
（４）刊行物２技術について、上記の「床用目地プレートの先端部が傾斜面より目地プレートの上面方向にスライド移動しても、床用目地プレートの先端部
のみ
２　刊行物１発明に対する刊行物２技術の適用について
（１）刊行物１発明と刊行物２技術は、床用目地装置という点で技術分野が共通することに加えて、地震で目地部が狭くなる場合に（刊行物１の段落【００２１】、刊行物２の段落【００２３】を参照。）、床用目地プレートが回動する点で床用目地装置の構造も共通するから、刊行物１発明に刊行物２技術を適用することは、当業者が容易に着想し得ることであるといえる。
（２）刊行物１発明においても、刊行物２技術と同様に、「より安全に使用することができる」という目的（課題）は当然にあるといえる。
（３）以上のような事情を考慮すると、刊行物１発明の「カバー体Ｃ」（本願発明の「床用目地プレート」に相当）について、「より安全に使用することができる」ように刊行物２技術を適用して、「カバー体Ｃ」（本願発明の「床用目地プレート」に相当）の自由端（先端部）を除く底面に、「該床用目地プレートの先端部が傾斜面より一方の床躯体の床面方向へスライド移動しても、床用目地プレートの先端部
のみ
（４）ここで、「より安全に使用することができる」ように、上記（３）の「・・・（略）・・・床用目地プレートの先端部
のみ
（５）したがって、刊行物１発明及び刊行物２技術に基いて、本願発明の上記相違点に係る発明特定事項とすることは、当業者が容易に想到し得たことである。
３　請求人の主張について
（１）請求人は、審判請求書において、
「　すなわち、前記引用文献２の回動目地プレートは、図１０に示す瞬間に至るまでは先端部のみが一方の床躯体の床面に接した状態を保つことができるが、図１０に示す瞬間又はそれよりも目地部が狭くなった場合には、目地プレートの先端部が回動目地プレートの凹部に当接し、回動目地プレートの先端部は浮いた状態となるものである。前記引用文献２の発明は、回動目地プレートが乗り上げた場合に、その先端部が大きく上方へ突出するのを防止するという課題のみに基づいて凹部を構成されているものであり、本願発明のように、目地部が狭くなった場合であっても、その先端部が大きく上方へ突出するのを防止するとともに、がたつきを防止するという課題がないためである。 
　付言すると、前記引用文献２の回動目地プレートにも凹部は形成されているが、本願発明とは課題が異なるため、その先端部が大きく上方へ突出するのを防止できるものであればよく、床用目地プレートの先端部のみが一方の床躯体の床面に接した状態を保つように形成された凹部である必要がない。
　一方、本願発明においては、床用目地プレートの先端部のみが一方の床躯体の床面に接した状態を保つ凹部であるので、目地部が最大限狭くなった場合であっても、先端部のみが一方の床躯体の床面に接した状態を保つことができ、いかなる時であっても、床用目地プレートの先端部と後端部の２点で床用目地プレートを支持することができ、がたつきを防止することができるものである。 
　このように本願発明の床用目地装置は、前記引用文献１及び２とは課題が全く相違し、前記引用文献１及び２の発明に基づいて、その出願前にその発明の属する技術の分野における通常の知識を有する者が容易に発明することができたものではない。」と主張している（審判請求書第３頁）。
（２）しかしながら、上記１（４）で述べたとおり、刊行物２技術においても、本願発明と同様のガタ付きを防止する効果を伴うと解される。そして、図１０に示す瞬間よりも目地部５が狭くなった場合であっても、回動目地プレート１４Ａ（本願発明の「床用目地プレート」に相当）の先端部が上方へ突出するのを小さくおさえるとの課題は当然にあり、そのことは当業者であれば容易に着想することであり、そのためには底面の「円弧状の凹部３０」を更に大きく形成すればよいことは当業者に明らかであって、「いかなる時であっても、床用目地プレートの先端部と後端部の２点で床用目地プレートを支持することができ、がたつきを防止することができる」という効果は当業者の予測し得る範囲内である。
（３）よって、請求人の上記主張は採用できない。
第６　むすび
　以上のとおり、本願発明は、刊行物１発明及び刊行物２技術に基いて、当業者が容易に発明をすることができたものであるから、特許法第２９条第２項の規定により特許を受けることができない。
　したがって、その余の請求項に係る発明において検討するまでもなく、本願は、拒絶されるべきものである。
　よって、結論のとおり審決する。